(57)【特許請求の範囲】
【請求項１】
発電要素を含み扁平に形成した電池本体と、前記電池本体を封止する外装部材と、前記電池本体から前記外装部材の外部に導出した電極タブと、を備えた単電池と、
積層した前記単電池の間に配設し、前記外装部材を係合する複数の係合部を備えたスペーサと、を有し、
前記発電要素は、
正極と、負極と、前記正極および前記負極との間に配設しつつ前記正極および前記負極との間から部分的に突出した突出部を備えたセパレータと、を有し、
前記外装部材は、
前記電池本体の縁辺であって前記セパレータの前記突出部の先端に沿って位置する第１縁辺から積層方向と交差する方向に沿って外方に延在した第１延在部と、
前記第１縁辺と隣り合い、前記第１縁辺よりも前記発電要素側に位置する前記電池本体の第２縁辺から積層方向と交差する方向に沿って前記第１延在部よりも長く外方に延在して前記単電池の角部に臨み、各々の前記係合部に対応して係合する複数の被係合部を備えた第２延在部と、を有し、
複数の前記被係合部のうち少なくとも１つは、対応する前記係合部と互いに接合してなる組電池。
【請求項２】
前記係合部は、凸状に突出した凸部からなり、
前記被係合部は、凹状に窪んだ凹部、または貫通した開口部からなる請求項１に記載の組電池。
【請求項３】
複数の前記被係合部は、前記外装部材の外縁に沿って形成してなる請求項１または２に記載の組電池。
【請求項４】
複数の前記被係合部のうち前記外装部材の角部に最も近い前記被係合部が、対応する前記係合部と互いに接合してなる請求項１〜３のいずれか１項に記載の組電池。
【請求項５】
前記第２延在部は、前記第１延在部の両側にそれぞれ隣接してなる請求項１〜４のいずれか１項に記載の組電池。
【請求項６】
前記スペーサは、前記外装部材を載置して支持する支持面に前記係合部を備え、
前記係合部の先端部分と前記支持面とによって前記外装部材を挟持してなる請求項１〜５のいずれか１項に記載の組電池。
【請求項７】
複数の前記被係合部のうち前記第１延在部に最も近い位置に備えた前記被係合部が、対応する前記係合部と互いに接合してなる請求項１〜６のいずれか１項に記載の組電池。
【請求項８】
複数の前記被係合部は、前記第１縁辺よりも前記電池本体の外方に位置した領域の前記第２延在部に形成してなる請求項１〜７のいずれか１項に記載の組電池。
【発明の詳細な説明】
【技術分野】
【０００１】
本発明は、単電池を複数枚積層した組電池に関する。
【背景技術】
【０００２】
組電池は、外装部材の内部に発電要素を含む単電池を積層方向に複数枚積層してなる。このような組電池において、積層された単電池が移動しないよう固定する必要がある。これに関連して、例えば下記の特許文献１には、外装部材に穴を形成し、当該穴に通した支柱によって複数の単電池を固定する構成が開示されている。また、特許文献１において、外装部材として、変形しやすいラミネート外装材が用いられている。
【先行技術文献】
【特許文献】
【０００３】
【特許文献１】特開２０１４−７８４９８号公報
【発明の概要】
【発明が解決しようとする課題】
【０００４】
しかしながら、特許文献１に記載の構成では、外装部材のみを支柱によって固定しているため、振動や衝撃などによって、外装部材が簡単に変形する虞がある。組電池は、外装部材が変形して周囲の構成部材に干渉すると不具合が生じて、所期の性能を発揮できない虞がある。
【０００５】
本発明の目的は、外装部材の変形を抑制して単電池の移動を防止することができる組電池を提供することにある。
【課題を解決するための手段】
【０００６】
上記目的を達成するための本発明の組電池は、単電池と、スペーサと、を有する。前記単電池は、発電要素を含み扁平に形成した電池本体と、前記電池本体を封止する外装部材と、前記電池本体から前記外装部材の外部に導出した電極タブと、を備えた。前記スペーサは、積層した前記単電池の間に配設し、前記外装部材を係合する複数の係合部を備えた。前記発電要素は、正極と、負極と、前記正極および前記負極との間に配設しつつ前記正極および前記負極との間から部分的に突出した突出部を備えたセパレータと、を有する。前記外装部材は、第１延在部と、第２延在部と、を有する。前記第１延在部は、前記電池本体の縁辺であって前記セパレータの前記突出部の先端に沿って位置する第１縁辺から積層方向と交差する方向に沿って外方に延在した。前記第２延在部は、前記第１縁辺と隣り合い、前記第１縁辺よりも前記発電要素側に位置する前記電池本体の第２縁辺から積層方向と交差する方向に沿って前記第１延在部よりも長く外方に延在して前記単電池の角部に臨み、各々の前記係合部に対応して係合する複数の被係合部を備えた。ここで、複数の前記被係合部のうち少なくとも１つは、対応する前記係合部と互いに接合してなる。
【発明の効果】
【０００７】
上記のように構成した組電池によれば、外装部材の第２延在部に備えた複数の被係合部のうち少なくとも１つが、スペーサの係合部と接合している。このようにすれば、外装部材において、第１延在部よりも電池本体の縁辺から長く延在し、第１延在部よりも変形し易い第２延在部を、スペーサに固定することができる。したがって、組電池は、外装部材の変形を抑制して単電池の移動を防止することができる。
【図面の簡単な説明】
【０００８】
【図１】実施形態に係る組電池を示す斜視図である。
【図２】図１に示される組電池から上部加圧板と下部加圧板および左右の側板を分解して保護カバーを取り付けた状態の積層体全体を露出させた状態を示す斜視図である。
【図３】図２に示される積層体から保護カバーを取り外し、かつ、積層体を電池群とバスバユニットに分解して示す斜視図である。
【図４】図３に示されるバスバユニットを分解して示す斜視図である。
【図５】第１セルサブアッシ（３組毎に並列接続する単電池）のアノード側電極タブと第２セルサブアッシ（３組毎に並列接続する単電池）のカソード側電極タブをバスバによって接合する状態を模式的に分解して示す斜視図である。
【図６】図６（Ａ）は、単電池に一対のスペーサ（第１スペーサおよび第２スペーサ）を取り付けた状態を示す斜視図、図６（Ｂ）は、単電池に一対のスペーサ（第１スペーサおよび第２スペーサ）を取り付ける前の状態を示す斜視図である。
【図７】図７（Ａ）は、単電池に第２スペーサを取り付けた状態の要部を示す斜視図、図７（Ｂ）は、図７（Ａ）を上方から示す上面図、図７（Ｃ）は、図７（Ｂ）中の７（Ｃ）−７（Ｃ）線に沿って断面で示す側面図である。
【図８】一対のスペーサ（第１スペーサおよび第２スペーサ）を示す斜視図である。
【図９】図９（Ａ）は、積層した単電池の電極タブにバスバを接合した状態の要部を断面で示す斜視図、図９（Ｂ）は、図９（Ａ）を側方から示す側面図である。
【発明を実施するための形態】
【０００９】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。図中において、Ｘ、Ｙ、およびＺで表す矢印を用いて、方位を示している。Ｘによって表す矢印の方向は、単電池１１０の積層方向と交差し、かつ、単電池１１０の長手方向に沿った方向を示している。Ｙによって表す矢印の方向は、単電池１１０の積層方向と交差し、かつ、単電池１１０の短手方向に沿った方向を示している。Ｚによって表す矢印の方向は、単電池１１０の積層方向を示している。
【００１０】
実施形態の組電池１００を図１〜図９を参照しつつ説明する。
【００１１】
図１は、実施形態に係る組電池１００を示す斜視図である。図２は、図１に示される組電池１００から上部加圧板１５１と下部加圧板１５２および左右の側板１５３を分解して保護カバー１４０を取り付けた状態の積層体１００Ｓ全体を露出させた状態を示す斜視図である。図３は、図２に示される積層体１００Ｓから保護カバー１４０を取り外し、かつ、積層体１００Ｓを電池群１００Ｇとバスバユニット１３０に分解して示す斜視図である。図４は、図３に示されるバスバユニット１３０を分解して示す斜視図である。図５は、第１セルサブアッシ１００Ｍ（３組毎に並列接続する単電池１１０）のアノード側電極タブ１１３Ａと第２セルサブアッシ１００Ｎ（３組毎に並列接続する単電池１１０）のカソード側電極タブ１１３Ｋをバスバ１３１によって接合する状態を模式的に分解して示す斜視図である。図６（Ａ）は、単電池１１０に一対のスペーサ１２０（第１スペーサ１２１および第２スペーサ１２２）を取り付けた状態を示す斜視図、図６（Ｂ）は、単電池１１０に一対のスペーサ１２０（第１スペーサ１２１および第２スペーサ１２２）を取り付ける前の状態を示す斜視図である。図７（Ａ）は、単電池１１０に第２スペーサ１２２を取り付けた状態の要部を示す斜視図、図７（Ｂ）は、図７（Ａ）を上方から示す上面図、図７（Ｃ）は、図７（Ｂ）中の７（Ｃ）−７（Ｃ）線に沿って断面で示す側面図である。図８は、一対のスペーサ１２０（第１スペーサ１２１および第２スペーサ１２２）を示す斜視図である。図９（Ａ）は、積層した単電池１１０の電極タブ１１３にバスバ１３１を接合した状態の要部を断面で示す斜視図、図９（Ｂ）は、図９（Ａ）を側方から示す側面図である。
【００１２】
なお、図１に示される状態おいて、左手前側を組電池１００全体および各構成部品の「前面側」といい、右手奥側を組電池１００全体および各構成部品の「背面側」といい、右手前側および左手奥側を組電池１００全体および各構成部品の左右の「側方側」という。
【００１３】
図１および図２に示すように、組電池１００は、扁平形状を有する単電池１１０を厚み方向に複数枚積層した電池群１００Ｇ含む積層体１００Ｓを有する。組電池１００はさらに、積層体１００Ｓの前面側に取り付けられる保護カバー１４０と、単電池１１０の積層方向に沿ってそれぞれの単電池１１０を加圧した状態において積層体１００Ｓを収容する筐体１５０と、を有する。図３に示すように、積層体１００Ｓは、電池群１００Ｇと、電池群１００Ｇの前面側に取り付けられ複数個のバスバ１３１を一体的に保持するバスバユニット１３０と、を有する。保護カバー１４０は、バスバユニット１３０を被覆して保護する。図４に示すように、バスバユニット１３０は、複数個のバスバ１３１と、複数個のバスバ１３１をマトリクス状に一体的に取り付けるバスバホルダ１３２と、を有する。複数のバスバ１３１のうち、アノード側の終端にはアノード側ターミナル１３３を取り付け、カソード側の終端にはカソード側ターミナル１３４を取り付けている。
【００１４】
実施形態の組電池１００は、概説すれば、単電池１１０と、スペーサ（第２スペーサ１２２）と、を有する。単電池１１０は、発電要素１１１を含み扁平に形成した電池本体１１０Ｈと、電池本体１１０Ｈを封止する外装部材（ラミネートフィルム１１２）と、電池本体１１０Ｈからラミネートフィルム１１２の外部に導出した電極タブ１１３と、を備えた。第２スペーサ１２２は、積層した単電池１１０の間に配設し、ラミネートフィルム１１２を係合する複数の係合部（連結ピン１２２ｉ）を備えた。ラミネートフィルム１１２は、第１延在部１１２ｆと、第２延在部１１２ｇと、を有する。第１延在部１１２ｆは、電池本体１１０Ｈの第１縁辺１１０ｐから積層方向Ｚと交差する方向（長手方向Ｘまたは短手方向Ｙ）に沿って外方に延在した。第２延在部１１２ｇは、第１縁辺１１０ｐと隣り合い、第１縁辺１１０ｐよりも発電要素１１１側に位置する電池本体１１０Ｈの第２縁辺１１０ｑから積層方向Ｚと交差する方向（長手方向Ｘまたは短手方向Ｙ）に沿って第１延在部１１２ｆよりも長く外方に延在して単電池１１０の角部に臨み、各々の連結ピン１２２ｉに対応して係合する複数の被係合部（連結孔部１１２ｅ）を備えた。ここで、複数の連結孔部１１２ｅのうち少なくとも１つは、対応する係合部（連結ピン１２２ｉｉ）と互いに接合してなる。以下、実施形態の組電池１００について詳述する。
【００１５】
図５に示すように、電池群１００Ｇは、電気的に並列接続した３つの単電池１１０からなる第１セルサブアッシ１００Ｍと、電気的に並列接続した別の３つの単電池１１０からなる第２セルサブアッシ１００Ｎと、をバスバ１３１によって直列に接続して構成している。
【００１６】
第１セルサブアッシ１００Ｍおよび第２セルサブアッシ１００Ｎは、単電池１１０の電極タブ１１３の先端部１１３ｄの屈折方向を除いて同一の構成である。具体的には、第２セルサブアッシ１００Ｎは、第１セルサブアッシ１００Ｍに含まれる単電池１１０の天地を逆転させたものである。但し、第２セルサブアッシ１００Ｎの電極タブ１１３の先端部１１３ｄの屈折方向は、第１セルサブアッシ１００Ｍの電極タブ１１３の先端部１１３ｄの屈折方向と、同一になるように積層方向Ｚの下方の側に揃えている。各々の単電池１１０は、一対のスペーサ１２０（第１スペーサ１２１および第２スペーサ１２２）を取り付けている。
【００１７】
単電池１１０は、例えば、扁平なリチウムイオン二次電池に相当する。単電池１１０は、図６および図９に示すように、発電要素１１１を一対のラミネートフィルム１１２によって封止した電池本体１１０Ｈと、発電要素１１１に電気的に接続され電池本体１１０Ｈから外部に導出された薄板状の電極タブ１１３と、を備えている。
【００１８】
発電要素１１１は、正極１１１ａと負極１１１ｂをセパレータ１１１ｃで挟持したものを複数枚積層して構成している。発電要素１１１は、外部から電力の供給を受けて充電した上で、外部の電気デバイスに対して放電しつつ電力を供給する。
【００１９】
発電要素１１１は、図７（Ｂ）に示すように、正極１１１ａと、負極１１１ｂと、正極１１１ａおよび負極１１１ｂとの間に配設しつつ正極１１１ａおよび負極１１１ｂとの間から部分的に突出した突出部１１１ｄを備えたセパレータ１１１ｃと、を有している。正極１１１ａと負極１１１ｂの位置ずれを防止するために、セパレータ１１１ｃの突出部１１１ｄ同士を、ラミネートフィルム１１２を介して固定する。その固定部分は、図６および図７に示すように、突出部１１１ｄの領域において、互いに離間した３つの溶着部１１１ｅとして図示している。
【００２０】
ラミネートフィルム１１２は、絶縁性を備えたシートによって金属箔の両側を覆って構成している。一対のラミネートフィルム１１２は、発電要素１１１を積層方向Ｚに沿った両側から被覆して、その四辺を封止している。一対のラミネートフィルム１１２は、図６に示すように、短手方向Ｙに沿った一端部１１２ａの間から外部に向かって、アノード側電極タブ１１３Ａおよびカソード側電極タブ１１３Ｋを導出させている。
【００２１】
ラミネートフィルム１１２は、図６〜図８に示すように、短手方向Ｙに沿った一端部１１２ａの両端にそれぞれ備えた一対の連結孔部１１２ｅに、第１スペーサ１２１の一対の連結ピン１２１ｉをそれぞれ挿通させている。ラミネートフィルム１１２は、長手方向Ｘに沿った両端部１１２ｃおよび１１２ｄを、積層方向Ｚの上方に向かって折り曲げて形成している。
【００２２】
ラミネートフィルム１１２は、図６および７に示すように、他端部１１２ｂの側において、短手方向Ｙに沿うように、第１延在部１１２ｆの両側に第２延在部１１２ｇを隣接させて構成している。第１延在部１１２ｆは、図７（Ｂ）に示すように、電池本体１１０Ｈの第１縁辺１１０ｐから長手方向Ｘに沿って外方に延在して形成している。第１縁辺１１０ｐは、発電要素１１１に含まれるセパレータ１１１ｃの突出部１１１ｄの先端に沿って位置している。
【００２３】
第２延在部１１２ｇは、図７（Ｂ）に示すように、電池本体１１０Ｈの第２縁辺１１０ｑから、長手方向Ｘに沿って外方に延在している。第２縁辺１１０ｑは、セパレータ１１１ｃの突出部１１１ｄが存在しないことから、第１縁辺１１０ｐよりも発電要素１１１側に位置する。その結果、第２延在部１１２ｇは、第１延在部１１２ｆよりも長く外方に延在している。
【００２４】
第２延在部１１２ｇは、第２スペーサ１２２に備えられた複数の連結ピン１２２ｉ（１つの連結ピン１２２ｉｉを含む）に係合する複数の連結孔部１１２ｅを備えている。第２延在部１１２ｇは、短手方向Ｙに沿った両側に、連結孔部１１２ｅをそれぞれ６つずつ備えている。連結孔部１１２ｅの個数は、６つに限定されることなく、２つ以上であればよい。
【００２５】
各々の連結孔部１１２ｅは、ラミネートフィルム１１２を貫通して形成している。各々の連結孔部１１２ｅは、図７に示すように、ラミネートフィルム１１２の外縁に沿って、所定の間隔を隔てて形成している。各々の連結孔部１１２ｅは、図７（Ｂ）に示すように、第１縁辺１１０ｐよりも電池本体１１０Ｈの外方に位置した領域の第２延在部１１２ｇに形成している。
【００２６】
ラミネートフィルム１１２は、第２延在部１１２ｇに複数の連結孔部１１２ｅを備えても、長手方向Ｘおよび短手方向Ｙに沿ったサイズが大きくなることがない。ラミネートフィルム１１２の他端部１１２ｂにおいて、第２延在部１１２ｇは、第１延在部１１２ｆと比較してスペースを広く確保することができ、その領域内に複数の連結孔部１１２ｅを備えることができる。６つの連結孔部１１２ｅのうちラミネートフィルム１１２の角部に最も近い連結孔部１１２ｅ（図７の図中右端）が、連結ピン１２２ｉｉと互いに接合している。
【００２７】
電極タブ１１３は、図６および図９に示すように、アノード側電極タブ１１３Ａおよびカソード側電極タブ１１３Ｋから構成し、それぞれ一対のラミネートフィルム１１２の一端部１１２ａの間から互いに離間した状態において外部に向かって延在している。アノード側電極タブ１１３Ａは、発電要素１１１中のアノード側の構成部材の特性に合わせて、アルミニウムからなる。カソード側電極タブ１１３Ｋは、発電要素１１１中のカソード側の構成部材の特性に合わせて、銅からなる。
【００２８】
電極タブ１１３は、図９に示すように、電池本体１１０Ｈと隣接する基端部１１３ｃから先端部１１３ｄにかけてＬ字状に形成している。具体的には、電極タブ１１３は、その基端部１１３ｃから長手方向Ｘの一方に沿って延在している。一方、電極タブ１１３の先端部１１３ｄは、積層方向Ｚの下方に沿って屈折して形成している。電極タブ１１３の先端部１１３ｄの形状は、Ｌ字形状に限定されない。電極タブ１１３の先端部１１３ｄは、バスバ１３１と対面するように面状に形成している。電極タブ１１３は、先端部１１３ｄをさらに延在させ、その延在部分を基端部１１３ｃに沿って電池本体１１０Ｈ側に折り返すようにして、Ｕ字形状に形成してもよい。一方、電極タブ１１３の基端部１１３ｃは、波状に形成したり湾曲形状に形成したりしてもよい。
【００２９】
各々の電極タブ１１３の先端部１１３ｄは、複数枚積層した単電池１１０において、図５および図９に示すように、積層方向Ｚの下方に揃えて屈折させている。ここで、組電池１００は、図５に示すように、電気的に並列接続した３つの単電池１１０（第１セルサブアッシ１００Ｍ）と、電気的に並列接続した別の３つの単電池１１０（第２セルサブアッシ１００Ｎ）を、直列に接続している。したがって、３つの単電池１１０毎に、その単電池１１０の天地を入れ替えて、単電池１１０のアノード側電極タブ１１３Ａとカソード側電極タブ１１３Ｋの位置を、積層方向Ｚに沿って交差させるようにしている。
【００３０】
但し、３つの単電池１１０毎の天地を単純に入れ替えただけでは、電極タブ１１３の先端部１１３ｄの位置が積層方向Ｚに沿った上下方向にばらついてしまうため、全ての単電池１１０の電極タブ１１３の先端部１１３ｄの位置が揃うように調整して屈折させている。
【００３１】
図５の下方に図示した第１セルサブアッシ１００Ｍは、図中の右側にアノード側電極タブ１１３Ａを配置し、図中の左側にカソード側電極タブ１１３Ｋを配置している。一方、図５の上方に図示した第２セルサブアッシ１００Ｎは、図中の右側にカソード側電極タブ１１３Ｋを配置し、図中の左側にアノード側電極タブ１１３Ａを配置している。
【００３２】
このように、アノード側電極タブ１１３Ａとカソード側電極タブ１１３Ｋの配置が異なっていても、単電池１１０の電極タブ１１３の先端部１１３ｄは積層方向Ｚに沿った下方に屈折している。また、各々の電極タブの１１３の先端部１１３ｄは、図３に示すように、積層体１００Ｓの同一面の側に配設している。第１セルサブアッシ１００Ｍおよび第２セルサブアッシ１００Ｎの上面に位置する単電池１１０には、上方に積層する積層部材と接着する両面テープ１６０を貼り付けている。
【００３３】
一対のスペーサ１２０（第１スペーサ１２１および第２スペーサ１２２）は、図３、図５、および図９に示すように、積層した単電池１１０の間に配設している。第１スペーサ１２１は、図６に示すように、単電池１１０の電極タブ１１３を突出させたラミネートフィルム１１２の一端部１１２ａに沿って配設している。第２スペーサ１２２は、図６に示すように、ラミネートフィルム１１２の他端部１１２ｂに沿って配設している。第２スペーサ１２２は、第１スペーサ１２１の形状を簡略した構成からなる。各々の単電池１１０は、一対のスペーサ１２０（第１スペーサ１２１および第２スペーサ１２２）を取り付けた上で、積層方向Ｚに沿って複数枚積層する。一対のスペーサ１２０（第１スペーサ１２１および第２スペーサ１２２）は、絶縁性を備えた強化プラスチックスからなる。以下、第１スペーサ１２１の構成について説明した後に、第２スペーサ１２２の構成について第１スペーサ１２１の構成と比較しつつ説明する。
【００３４】
第１スペーサ１２１は、図６および図８に示すように、短手方向Ｙに沿って長尺な直方体形状から形成している。第１スペーサ１２１は、その長手方向（短手方向Ｙ）の両端に載置部１２１Ｍおよび１２１Ｎを備えている。
【００３５】
第１スペーサ１２１は、図９（Ｂ）に示すように、単電池１１０に取り付けた状態で積層したとき、一の第１スペーサ１２１の載置部１２１Ｍおよび１２１Ｎの上面１２１ａと、当該一の第１スペーサ１２１の上方に配設された他の第１スペーサ１２１の載置部１２１Ｍおよび１２１Ｎの下面１２１ｂが、当接する。
【００３６】
第１スペーサ１２１は、図８および図９（Ｂ）に示すように、複数枚積層する単電池１１０の相対的な位置決めを行うために、一の第１スペーサ１２１の上面１２１ａに備えられた位置決ピン１２１ｃと、他の第１スペーサ１２１の下面１２１ｂに開口し位置決ピン１２１ｃの位置に対応した位置決穴１２１ｄを、嵌合させる。
【００３７】
第１スペーサ１２１は、図８に示すように、積層方向Ｚに沿って連結する複数の組電池１００同士を連結するボルトを挿通するためにロケート孔１２１ｅを、積層方向Ｚに沿って載置部１２１Ｍおよび１２１Ｎにそれぞれ開口している。
【００３８】
第１スペーサ１２１は、図６（Ｂ）および図８に示すように、載置部１２１Ｍおよび１２１Ｎの間の領域を積層方向Ｚの上側から切り欠いたように形成している。当該切り欠いた部分は、第１スペーサ１２１の長手方向（単電池１１０の短手方向Ｙ）に沿って第１支持面１２１ｇおよび第２支持面１２１ｈを備えている。第１支持面１２１ｇは、第２支持面１２１ｈよりも積層方向Ｚに沿って高く形成し、かつ、単電池１１０側に位置している。
【００３９】
第１スペーサ１２１は、図６に示すように、第１支持面１２１ｇによって、電極タブ１１３を突出させたラミネートフィルム１１２の一端部１１２ａを載置して支持している。第１スペーサ１２１は、第１支持面１２１ｇの両端から上方に突出した一対の連結ピン１２１ｉを備えている。
【００４０】
第１スペーサ１２１は、図９に示すように、電極タブ１１３にバスバ１３１と反対側から当接して単電池１１０の電極タブ１１３の先端部１１３ｄを支持する支持部１２１ｊを、第２支持面１２１ｈと隣接し、積層方向Ｚに沿った側面に備えている。第１スペーサ１２１の支持部１２１ｊは、バスバ１３１と共に電極タブ１１３の先端部１１３ｄを挟持して、先端部１１３ｄとバスバ１３１が互いに十分に当接するようにしている。
【００４１】
第２スペーサ１２２は、図６〜図８に示すように、第１スペーサ１２１の形状を簡略した構成からなる。第２スペーサ１２２は、第１スペーサ１２１の一部を単電池１１０の短手方向Ｙに沿って削除した構成に相当する。具体的には、第２スペーサ１２２は、第１スペーサ１２１の第２支持面１２１ｈおよび第１支持面１２１ｇを支持面１２２ｋに置き換えて構成している。具体的に、第２スペーサ１２２は、第１スペーサ１２１と同様に、載置部１２２Ｍおよび１２２Ｎを備えている。第２スペーサ１２２は、載置部１２２Ｍおよび１２２Ｎの間の領域を積層方向Ｚの上側から切り欠いた部分に、支持面１２２ｋを備えている。支持面１２２ｋは、ラミネートフィルム１１２の他端部１１２ｂを載置して支持している。第２スペーサ１２２は、第１スペーサ１２１と同様に、位置決ピン１２２ｃ、位置決穴、およびロケート孔１２２ｅを備えている。
【００４２】
第２スペーサ１２２は、図６および図７に示すように、短手方向Ｙに沿った両側に、ラミネートフィルム１１２の６つの連結孔部１１２ｅに係合する６つの連結ピン１２２ｉ（１つの連結ピン１２２ｉを含む）をそれぞれ備えている。連結ピン１２２ｉは、凸状に突出した凸部からなり、第２スペーサ１２２の支持面１２２ｋに直線状に備えている。
【００４３】
６つの連結ピン１２２ｉのうち、ラミネートフィルム１１２の角部に最も近い連結孔部１１２ｅに対応する連結ピン１２２ｉｉ（図７の図中右端）は、ラミネートフィルム１１２の連結孔部１１２ｅと接合することによって、ラミネートフィルム１１２を固定している。具体的には、連結ピン１２２ｉｉの先端部分と、第２スペーサ１２２の支持面１２２ｋとによって、ラミネートフィルム１１２を挟持している。
【００４４】
連結ピン１２２ｉｉの先端部分は、連結ピン１２２ｉの形状の状態においてラミネートフィルム１１２の連結孔部１１２ｅを挿通した後、加熱されて軟化した状態において押圧されることによって、径方向に拡大しつつラミネートフィルム１１２に当接するように変形する。連結ピン１２２ｉｉの先端部分は、加熱を解除されると硬化して、その形状を保つ。
【００４５】
連結ピン１２２ｉｉ（図７の図中右端）は、熱溶着する前の連結ピン１２２ｉの状態でも、ラミネートフィルム１１２の連結孔部１１２ｅと接合することによって、ラミネートフィルム１１２を固定することができる。具体的には、連結ピン１２２ｉと連結孔部１１２ｅとの接合は、接着剤を用いて互いに接着したり、連結ピン１２２ｉを連結孔部１１２ｅに向かって座屈させて圧着したりして行ってもよい。さらに、連結ピン１２２ｉと連結孔部１１２ｅとの接合は、連結ピン１２２ｉの外周面に備えた突起を、連結孔部１１２ｅの縁に嵌合させて行ってもよい。
【００４６】
バスバユニット１３０は、図３および図４に示すように、バスバ１３１を一体的に複数備えている。バスバ１３１は、導電性を備えた金属からなり、異なる単電池１１０の電極タブ１１３の先端部１１３ｄ同士を電気的に接続する。バスバ１３１は、平板状に形成し、積層方向Ｚに沿って起立している。
【００４７】
バスバ１３１は、一の単電池１１０のアノード側電極タブ１１３Ａとレーザ溶接するアノード側バスバ１３１Ａと、積層方向Ｚに沿って隣り合う他の単電池１１０のカソード側電極タブ１１３Ｋとレーザ溶接するカソード側バスバ１３１Ｋを、接合して一体的に構成している。
【００４８】
アノード側バスバ１３１Ａとカソード側バスバ１３１Ｋは、図４および図９に示すように、同一の形状からなり、それぞれＬ字状に形成している。アノード側バスバ１３１Ａとカソード側バスバ１３１Ｋは、天地を反転させて重ね合わせている。具体的には、バスバ１３１は、アノード側バスバ１３１Ａの積層方向Ｚに沿った一端部の屈折した部分と、カソード側バスバ１３１Ｋの積層方向Ｚに沿った一端部の屈折した部分を接合して、一体化している。アノード側バスバ１３１Ａとカソード側バスバ１３１Ｋは、図４に示すように、短手方向Ｙの一端から長手方向Ｘに沿って側部１３１ｃを備えている。側部１３１ｃは、バスバホルダ１３２に接合する。
【００４９】
アノード側バスバ１３１Ａは、アノード側電極タブ１１３Ａと同様に、アルミニウムからなる。カソード側バスバ１３１Ｋは、カソード側電極タブ１１３Ｋと同様に、銅からなる。異なる金属からなるアノード側バスバ１３１Ａとカソード側バスバ１３１Ｋは、超音波接合によって互いに接合している。
【００５０】
バスバ１３１は、図５に示すように、組電池１００が例えば３つの単電池１１０を並列接続したものを複数組にわたって直列接続して構成されたものである場合、アノード側バスバ１３１Ａの部分を、積層方向Ｚに沿って互いに隣接している３つの単電池１１０のアノード側電極タブ１１３Ａに対してレーザ溶接する。同様に、バスバ１３１は、カソード側バスバ１３１Ｋの部分を、積層方向Ｚに沿って互いに隣接している３つの単電池１１０のカソード側電極タブ１１３Ｋに対してレーザ溶接する。
【００５１】
但し、マトリクス状に配設したバスバ１３１のうち、図３および図４の図中右上に位置するバスバ１３１は、２１つの単電池１１０（３並列７直列）のアノード側の終端に相当し、アノード側バスバ１３１Ａのみから構成している。このアノード側バスバ１３１Ａは、電池群１００Ｇの最上部の３つの単電池１１０のアノード側電極タブ１１３Ａに対してレーザ接合する。同様に、マトリクス状に配設したバスバ１３１のうち、図３および図４の図中左下に位置するバスバ１３１は、２１つの単電池１１０（３並列７直列）のカソード側の終端に相当し、カソード側バスバ１３１Ｋのみから構成している。このカソード側バスバ１３１Ｋは、電池群１００Ｇの最下部の３つの単電池１１０のカソード側電極タブ１１３Ｋに対してレーザ接合する。
【００５２】
バスバホルダ１３２は、図３に示すように、複数のバスバ１３１を、複数枚積層した各々の単電池１１０の電極タブ１１３に対面するようにマトリクス状に一体的に保持している。バスバホルダ１３２は、絶縁性を備えた樹脂からなり、枠状に形成している。
【００５３】
バスバホルダ１３２は、図４に示すように、単電池１１０の電極タブ１１３を支持している方の第１スペーサ１２１の長手方向の両側に位置するように、積層方向Ｚに沿って起立した一対の支柱部１３２ａをそれぞれ備えている。一対の支柱部１３２ａは、第１スペーサ１２１の載置部１２１Ｍおよび１２１Ｎの側面に嵌合する。一対の支柱部１３２ａは、積層方向Ｚに沿って視認した場合にＬ字状であって、積層方向Ｚに沿って延在した板状に形成している。バスバホルダ１３２は、第１スペーサ１２１の長手方向の中央付近に位置するように、積層方向Ｚに沿って起立した一対の補助支柱部１３２ｂを離間させて備えている。一対の補助支柱部１３２ｂは、積層方向Ｚに沿って延在した板状に形成している。
【００５４】
バスバホルダ１３２は、図４に示すように、積層方向Ｚに沿って隣り合うバスバ１３１の間にそれぞれ突出する絶縁部１３２ｃを備えている。絶縁部１３２ｃは、短手方向Ｙに沿って延在した板状に形成している。各々の絶縁部１３２ｃは、支柱部１３２ａと補助支柱部１３２ｂとの間に水平に備えている。絶縁部１３２ｃは、積層方向Ｚに沿って隣り合う単電池１１０のバスバ１３１の間を絶縁することによって放電を防止する。
【００５５】
バスバホルダ１３２は、それぞれ独立して形成した支柱部１３２ａと補助支柱部１３２ｂおよび絶縁部１３２ｃを互いに接合して構成してもよいし、支柱部１３２ａと補助支柱部１３２ｂおよび絶縁部１３２ｃを一体的に成形して構成してもよい。
【００５６】
アノード側ターミナル１３３は、図３及び図４に示すように、第１セルサブアッシ１００Ｍと第２セルサブアッシ１００Ｎを交互に積層して構成した電池群１００Ｇのアノード側の終端に相当する。
アノード側ターミナル１３３は、図３および図４に示すように、マトリクス状に配設したバスバ１３１のうち、図中右上に位置するアノード側バスバ１３１Ａに接合する。アノード側ターミナル１３３は、導電性を備えた金属板からなり、短手方向Ｙに沿って視認した場合、中央部１３３ａを基準にして、一端部１３３ｂと他端部１３３ｃを積層方向Ｚに沿って異なる方向に屈折させた形状からなる。一端部１３３ｂは、アノード側バスバ１３１Ａにレーザ接合する。他端部１３３ｃは、その中央に開口した孔１３３ｄ（ネジ溝を含む）に、外部の入出力端子を接続させる。
【００５７】
カソード側ターミナル１３４は、図３および図４に示すように、第１セルサブアッシ１００Ｍと第２セルサブアッシ１００Ｎを交互に積層して構成した電池群１００Ｇのカソード側の終端に相当する。カソード側ターミナル１３４は、図３および図４に示すように、マトリクス状に配設したバスバ１３１のうち、図中左下に位置するカソード側バスバ１３１Ｋに接合する。カソード側ターミナル１３４は、アノード側ターミナル１３３と同様の構成からなる。
【００５８】
保護カバー１４０は、図１〜図３に示すように、バスバユニット１３０を被覆することによって、バスバ１３１同士が短絡したり、バスバ１３１が外部の部材に接触して短絡したり漏電したりすることを防止する。さらに、保護カバー１４０は、アノード側ターミナル１３３およびカソード側ターミナル１３４を外部に臨ませて、各々の単電池１１０の発電要素１１１に充放電をさせる。保護カバー１４０は、絶縁性を備えたプラスチックスからなる。
【００５９】
保護カバー１４０は、図３に示すように、平板状に形成し、積層方向Ｚに沿って起立している。保護カバー１４０は、その側面１４０ａの上端１４０ｂと下端１４０ｃを長手方向Ｘに沿って屈折した形状からなり、バスバユニット１３０に嵌合させる。
【００６０】
保護カバー１４０の側面１４０ａは、図２および図３に示すように、バスバユニット１３０に備えられたアノード側ターミナル１３３に対応する位置に、当該アノード側ターミナル１３３よりも若干大きい矩形状の孔からなる第１開口１４０ｄを備えている。同様に、保護カバー１４０の側面１４０ａは、バスバユニット１３０に備えられたカソード側ターミナル１３４に対応する位置に、当該カソード側ターミナル１３４よりも若干大きい矩形状の孔からなる第２開口１４０ｅを備えている。
【００６１】
筐体１５０は、図１と図２に示すように、電池群１００Ｇを積層方向に沿って加圧した状態において収容している。上部加圧板１５１および下部加圧板１５２によって、電池群１００Ｇに備えられた各々の単電池１１０の発電要素１１１を挟持しつつ加圧することによって、発電要素１１１に適正な面圧を与える。
【００６２】
上部加圧板１５１は、図１と図２に示すように、電池群１００Ｇの積層方向Ｚに沿った上方に配設している。上部加圧板１５１は、積層方向Ｚに沿って下方に突出した加圧面１５１ａを、中央に備えている。加圧面１５１ａによって、各々の単電池１１０の発電要素１１１を下方に押圧する。上部加圧板１５１は、短手方向Ｙに沿った両側から、長手方向Ｘに沿って延在した保持部１５１ｂを備えている。保持部１５１ｂは、第１スペーサ１２１の載置部１２１Ｍおよび１２１Ｎ、または第２スペーサ１２２の載置部１２２Ｍおよび１２２Ｎを被覆する。保持部１５１ｂの中央には、第１スペーサ１２１の位置決穴１２１ｄまたは第２スペーサ１２２の位置決穴１２２ｄと積層方向Ｚに沿って連通するロケート孔１５１ｃが開口している。ロケート孔１５１ｃは、組電池１００同士を連結するボルトを挿通する。上部加圧板１５１は、十分な厚みを備えた金属板からなる。
【００６３】
下部加圧板１５２は、図１と図２に示すように、上部加圧板１５１と同一の構成からなり、上部加圧板１５１の天地を逆転させている。下部加圧板１５２は、電池群１００Ｇの積層方向Ｚに沿った下方に配設している。下部加圧板１５２は、積層方向Ｚに沿って上方に突出した加圧面１５１ａによって、各々の単電池１１０の発電要素１１１を上方に押圧する。
【００６４】
一対の側板１５３は、図１と図２に示すように、電池群１００Ｇを積層方向Ｚの上下から挟持しつつ加圧している上部加圧板１５１および下部加圧板１５２が互いに離間しないように、上部加圧板１５１および下部加圧板１５２の相対位置を固定する。側板１５３は、矩形状の金属板からなり、積層方向Ｚに沿って起立している。一対の側板１５３は、上部加圧板１５１および下部加圧板１５２に対して電池群１００Ｇの短手方向Ｙの両側からレーザ溶接によって接合する。各々の側板１５３は、上部加圧板１５１と当接している上端１５３ａの部分に対して、長手方向Ｘに沿って、シーム溶接またはスポット溶接がなされる。同様に、各々の側板１５３は、下部加圧板１５２と当接している下端１５３ｂの部分に対して、長手方向Ｘに沿って、シーム溶接またはスポット溶接がなされる。一対の側板１５３は、電池群１００Ｇの短手方向Ｙの両側を被覆して保護する。
【００６５】
上述した実施形態に係る組電池１００によれば、以下の作用効果を奏する。
【００６６】
組電池１００は、単電池１１０と、スペーサ（第２スペーサ１２２）と、を有する。単電池１１０は、発電要素１１１を含み扁平に形成した電池本体１１０Ｈと、電池本体１１０Ｈを封止する外装部材（ラミネートフィルム１１２）と、電池本体１１０Ｈからラミネートフィルム１１２の外部に導出した電極タブ１１３と、を備えた。第２スペーサ１２２は、積層した単電池１１０の間に配設し、ラミネートフィルム１１２を係合する複数の係合部（連結ピン１２２ｉ）を備えた。ラミネートフィルム１１２は、第１延在部１１２ｆと、第２延在部１１２ｇと、を有する。第１延在部１１２ｆは、電池本体１１０Ｈの第１縁辺１１０ｐから積層方向Ｚと交差する方向（長手方向Ｘまたは短手方向Ｙ）に沿って外方に延在した。第２延在部１１２ｇは、第１縁辺１１０ｐと隣り合い、第１縁辺１１０ｐよりも発電要素１１１側に位置する電池本体１１０Ｈの第２縁辺１１０ｑから積層方向Ｚと交差する方向（長手方向Ｘまたは短手方向Ｙ）に沿って第１延在部１１２ｆよりも長く外方に延在して単電池１１０の角部に臨み、各々の連結ピン１２２ｉに対応して係合する複数の被係合部（連結孔部１１２ｅ）を備えた。ここで、複数の連結孔部１１２ｅのうち少なくとも１つは、対応する係合部（連結ピン１２２ｉｉ）と互いに接合してなる。
【００６７】
このような構成の組電池１００によれば、ラミネートフィルム１１２の第２延在部１１２ｇに備えた複数の連結孔部１１２ｅのうち少なくとも１つが、第２スペーサ１２２の連結ピン１２２ｉと接合している。このようにすれば、ラミネートフィルム１１２において、第１延在部１１２ｆよりも電池本体１１０Ｈの縁辺から長く延在し、第１延在部１１２ｆよりも変形し易い第２延在部１１２ｇを、第２スペーサ１２２に固定することができる。したがって、組電池１００は、ラミネートフィルム１１２の変形を抑制して単電池１１０の移動を防止することができる。
【００６８】
さらに、係合部（連結ピン１２２ｉ）は、凸状に突出した凸部からなり、被係合部（開口部の一例として連結孔部１１２ｅ）は、凹状に窪んだ凹部、または貫通した開口部からなる。
【００６９】
このような構成によれば、非常に簡便な仕様によって、ラミネートフィルム１１２の第２延在部１１２ｇを第２スペーサ１２２に固定することができる。
【００７０】
さらに、複数の連結孔部１１２ｅは、ラミネートフィルム１１２の外縁に沿って形成してなる。
【００７１】
このような構成によれば、ラミネートフィルム１１２が、その外縁を変形の起点として、第２スペーサ１２２から捲れ上がるように変形することを防止することができる。
【００７２】
さらに、複数の連結孔部１１２ｅのうちラミネートフィルム１１２の角部に最も近い連結孔部１１２ｅが、対応する連結ピン１２２ｉｉと互いに接合してなる。
【００７３】
このような構成によれば、ラミネートフィルム１１２の捲れの起点となる、当該ラミネートフィルム１１２の角部に最も近い連結孔部１１２ｅを含む部分を効果的に固定することができる。
【００７４】
特に、このような構成によれば、周囲の構成部材に近いラミネートフィルム１１２の角部において、内部に金属を含んだラミネートフィルム１１２が変形することを防止できる。したがって、外部に露出したラミネートフィルム１１２の金属が、周囲の構成部材に接触して電気的な短絡が生じるようなことを十分に防止できる。
【００７５】
さらに、このような構成によれば、ラミネートフィルム１１２が第２スペーサ１２２の端部に位置する連結ピン１２２ｉｉの部分から浮き上がるように変形した場合でも、連結ピン１２２ｉｉに加えて、その連結ピン１２２ｉｉと隣り合う複数の連結ピン１２２ｉに係合し続けて、その変形に抵抗することができる。仮に、ラミネートフィルム１１２が第２スペーサ１２２の端部に位置する連結ピン１２２ｉｉの部分から離間するように大きく変形した場合でも、その連結ピン１２２ｉｉと隣り合う複数の連結ピン１２２ｉのうちの少なくとも一部の連結ピン１２２ｉに係合し続けて、その変形に抵抗することができる。
【００７６】
さらに、第２延在部１１２ｇは、第１延在部１１２ｆの両側にそれぞれ隣接してなる。
【００７７】
このような構成によれば、第１延在部１１２ｆを隔てたラミネートフィルム１１２の両側のいずれの第２延在部１１２ｇの部分においても、当該ラミネートフィルム１１２の変形を抑制することができる。
【００７８】
さらに、第２スペーサ１２２は、ラミネートフィルム１１２を載置して支持する支持面１２２ｋに連結ピン１２２ｉｉを備え、連結ピン１２２ｉｉの先端部分と支持面１２２ｋとによってラミネートフィルム１１２を挟持してなる。
【００７９】
このような構成によれば、ラミネートフィルム１１２を、連結ピン１２２ｉｉの部分において、第２スペーサ１２２から浮き上がらないようにして、その変形を十分に抑制することができる。
【００８０】
特に、このような構成によれば、ラミネートフィルム１１２が、連結ピン１２２ｉｉと係合した部分において屈曲しないことから、引張強度を向上させることができる。さらに、このような構成によれば、内部に金属を含んだラミネートフィルム１１２が変形することによって、外部に露出したラミネートフィルム１１２の金属が、周囲の構成部材に接触して電気的な短絡が生じるようなことを十分に防止できる。
【００８１】
さらに、発電要素１１１は、正極１１１ａと、負極１１１ｂと、正極１１１ａおよび負極１１１ｂとの間に配設しつつ正極１１１ａおよび負極１１１ｂとの間から部分的に突出した突出部１１１ｄを備えたセパレータ１１１ｃと、を有し、第１縁辺１１０ｐは、突出部１１１ｄの先端に沿って位置する。
【００８２】
このような構成によれば、正極１１１ａと負極１１１ｂの位置ずれを防止するために、セパレータ１１１ｃの突出部１１１ｄ同士を、ラミネートフィルム１１２を介して固定した構成からなる単電池１１０を用いる形態に好適である。すなわち、ラミネートフィルム１１２において、セパレータ１１１ｃの突出部１１１ｄが存在しないことに起因して、第１延在部１１２ｆよりも長くて変形し易い部分に相当する第２延在部１１２ｇを、第２スペーサ１２２に固定して変形を抑制する形態に好適である。
【００８３】
さらに、複数の連結孔部１１２ｅのうち第１延在部１１２ｆに最も近い位置に備えた連結孔部１１２ｅが、対応する連結ピン１２２ｉと互いに接合してなる。
【００８４】
このような構成によれば、第１延在部１１２ｆと第２延在部１１２ｇとの境界であって、セパレータ１１１ｃの突出部１１１ｄの有無に起因して形状や硬度に違いが発生し、ラミネートフィルム１１２の捲れの起点となるような部分を固定することができる。したがって、ラミネートフィルム１１２の捲り上がりによる破断等を防止することができる。
【００８５】
なお、このような構成において、第２スペーサ１２２の連結ピン１２２ｉと、ラミネートフィルム１１２の連結孔部１１２ｅとの接合は、例えば、接着剤を用いて互いに接着することで行う。
【００８６】
さらに、複数の連結孔部１１２ｅは、第１縁辺１１０ｐよりも電池本体１１０Ｈの外方に位置した領域の第２延在部１１２ｇに形成してなる。
【００８７】
このような構成によれば、第２延在部１１２ｇの連結孔部１１２ｅと、発電要素１１１との間に十分な距離を確保することができる。例えば、仮に、外部から連結孔部１１２ｅを介してラミネートフィルム１１２の封止部分に水分等が侵入したとしても、その水分等は発電要素１１１まで到達することがなく、発電要素１１１の電気的特性を維持することができる。このように、発電要素１１１の袋詰め構造を維持するために必要な封止距離を確保することができる。
【００８８】
そのほか、本発明は、特許請求の範囲に記載された構成に基づき様々な改変が可能であり、それらについても本発明の範疇である。
【００８９】
例えば、実施形態では、ラミネートフィルム１１２について、第１延在部１１２ｆの両側に第２延在部１１２ｇを備えた構成として説明したが、このような構成に限定されることはない。一例として、ラミネートフィルムは、第１延在部１１２ｆの片側のみに第２延在部１１２ｇを備えた構成してもよい。
【００９０】
また、実施形態では、第２スペーサ１２２の係合部を凸部（連結ピン１２２ｉ）から構成し、ラミネートフィルム１１２の被係合部を開口部（連結孔部１１２ｅ）から構成したが、このような構成に限定されることはない。一例として、第２スペーサ１２２の係合部を凹部または開口部から構成し、ラミネートフィルム１１２の被係合部を凸部から構成してもよい。
【符号の説明】
【００９１】
１００    組電池、
１００Ｓ  積層体、
１００Ｇ  電池群、
１００Ｍ  第１セルサブアッシ、
１００Ｎ  第２セルサブアッシ、
１１０    単電池、
１１０Ｈ  電池本体、
１１０ｐ  第１縁辺、
１１０ｑ  第２縁辺、
１１１    発電要素、
１１１ａ  正極、
１１１ｂ  負極、
１１１ｃ  セパレータ、
１１１ｄ  突出部、
１１１ｅ  溶着部、
１１２    ラミネートフィルム、
１１２ｅ  連結孔部（被係合部）、
１１２ｆ  第１延在部、
１１２ｇ  第２延在部、
１１３    電極タブ、
１１３Ａ  アノード側電極タブ、
１１３Ｋ  カソード側電極タブ、
１２０    一対のスペーサ、
１２１    第１スペーサ、
１２２    第２スペーサ、
１２２ｉ  連結ピン（係合部）、
１２２ｉｉ  連結ピン（複数の係合部のうち外装部材の角部に最も近い係合部材）、
１２２ｋ  支持面、
１３０    バスバユニット、
１３１    バスバ、
１３１Ａ  アノード側バスバ（第１バスバ）、
１３１Ｋ  カソード側バスバ（第２バスバ）、
１３２    バスバホルダ、
１３３    アノード側ターミナル、
１３４    カソード側ターミナル、
１４０    保護カバー、
１５０    筺体、
１５１    上部加圧板、
１５２    下部加圧板、
１５３    側板、
１６０    両面テープ、
Ｘ        （単電池１１０の積層方向と交差し、かつ、単電池１１０の）長手方向、
Ｙ        （単電池１１０の積層方向と交差し、かつ、単電池１１０の）短手方向、
Ｚ        （単電池１１０の）積層方向。
【図１】
0006676330.tif 000002
【図２】
0006676330.tif 000003
【図３】
0006676330.tif 000004
【図４】
0006676330.tif 000005
【図５】
0006676330.tif 000006
【図６】
0006676330.tif 000007
【図７】
0006676330.tif 000008
【図８】
0006676330.tif 000009
【図９】
0006676330.tif 000010